(57)【要約】【課題】光ディスクを固定することができる上、容易に置いたり取出したりすることができるため、ディスクがディスク用トレイに引っかかって損壊することを防ぐことができるディスク用トレイを提供する。【解決手段】ディスク用トレイ１は、低平面部２０、第１の突起部３０、第２の突起部４０、第１の切欠き部５０及び第２の切欠き部６０を備え、ディスク９０を収納する。低平面部２０は、ディスク９０を置くために用い、第１の側部２１及び第２の側部２２を有する。第１の突起部３０は、低平面部２０から上方へ延設され、第１の上面領域３１と、低平面部２０と第１の上面領域３１との間に設けられた第１の壁部３２とを有する。第２の突起部４０は、低平面部２０から上方へ延設され、第２の上面領域４１と、低平面部２０と第２の上面領域４１との間に設けられた第２の壁部４２とを有する。【選択図】図１
0003159767.tif 000002
【実用新案登録請求の範囲】
【請求項１】
低平面部、第１の突起部、第２の突起部、第１の切欠き部及び第２の切欠き部を備え、ディスクを収納するディスク用トレイであって、
前記低平面部は、前記ディスクを置くために用い、第１の側部及び第２の側部を有し、
前記第１の突起部は、前記低平面部から上方へ延設され、第１の上面領域と、前記低平面部と前記第１の上面領域との間に設けられた第１の壁部とを有し、
前記第２の突起部は、前記低平面部から上方へ延設され、第２の上面領域と、前記低平面部と前記第２の上面領域との間に設けられた第２の壁部とを有し、
前記第１の切欠き部は、前記第１の側部に設けられた第１の平面切欠き部と、前記第１の壁部に設けられた２つの第１の上方切欠き部とを有し、前記２つの第１の上方切欠き部は、前記第１の平面切欠き部の両側に設けられ、前記第１の上面領域に第１の突出領域が形成され、
前記第２の切欠き部は、前記第２の側部に設けられた第２の平面切欠き部と、前記第２の壁部に設けられた２つの第２の上方切欠き部とを有し、前記２つの第２の上方切欠き部は、前記第２の平面切欠き部の両側に設けられ、前記第２の上面領域に第２の突出領域が形成されていること、
を特徴とするディスク用トレイ。
【請求項２】
前記第１の側部と前記第２の側部とは、対向するように設けられていること、
を特徴とする請求項１に記載のディスク用トレイ。
【請求項３】
前記低平面部に前記ディスクを置いたときの前記第１の突出領域と前記ディスクとが重なる距離は０．１ｍｍ〜２ｍｍであること、
を特徴とする請求項２に記載のディスク用トレイ。
【請求項４】
前記第１の突出領域と前記ディスクとが重なる距離は０．２ｍｍ〜１．５ｍｍであること、
を特徴とする請求項３に記載のディスク用トレイ。
【請求項５】
植物繊維を含む材料からなり、
前記第１の壁部の高さ及び前記第２の壁部の高さは０．８ｍｍ〜４ｍｍであること、
を特徴とする請求項４に記載のディスク用トレイ。
【請求項６】
前記第２の切欠き部は、前記第１の切欠き部より大きいこと、
を特徴とする請求項５に記載のディスク用トレイ。
【請求項７】
前記第２の突出領域は、前記第１の突出領域より大きいこと、
を特徴とする請求項６に記載のディスク用トレイ。
【請求項８】
カバー部、接続部及び搭載部を有するカバーをさらに備え、
前記低平面部は、前記搭載部と接続されていること、
を特徴とする請求項７に記載のディスク用トレイ。
【請求項９】
前記低平面部は、前記ディスクが収納されたときに、前記ディスクに接触する中央支持部を有すること、
を特徴とする請求項８に記載のディスク用トレイ。
【請求項１０】
前記第１の突出領域及び前記第２の突出領域は、それぞれ少なくとも１つのリブを有すること、
を特徴とする請求項９に記載のディスク用トレイ。
【請求項１１】
前記第１の側部及び前記第２の側部は、前記低平面部の左右両側部にそれぞれ設けられていること、
を特徴とする請求項１０に記載のディスク用トレイ。
【請求項１２】
前記低平面部に前記ディスクを置いたときの前記第１の突出領域と前記ディスクとが重なる距離は０．１ｍｍ〜２ｍｍであること、
を特徴とする請求項１に記載のディスク用トレイ。
【請求項１３】
前記第１の側部と前記第２の側部とは、対向するように設けられていること、
を特徴とする請求項１２に記載のディスク用トレイ。
【請求項１４】
植物繊維を含む材料からなること、
を特徴とする請求項１３に記載のディスク用トレイ。
【請求項１５】
前記第１の側部及び前記第２の側部は、前記低平面部の左右両側部にそれぞれ設けること、
を特徴とする請求項１４に記載のディスク用トレイ。
【請求項１６】
前記第１の壁部の高さ及び前記第２の壁部の高さは０．８ｍｍ〜４ｍｍであること、
を特徴とする請求項１５に記載のディスク用トレイ。
【請求項１７】
前記第２の切欠き部は、前記第１の切欠き部より大きく、
前記第２の突出領域は、前記第１の突出領域より大きいこと、
を特徴とする請求項１６に記載のディスク用トレイ。
【請求項１８】
カバー部、接続部及び搭載部を含むカバーをさらに備え、
前記低平面部は、前記搭載部と接続されていること、
を特徴とする請求項１に記載のディスク用トレイ。
【請求項１９】
前記第１の側部と前記第２の側部とは、対向するように設けられていること、
を特徴とする請求項１８に記載のディスク用トレイ。
【請求項２０】
前記低平面部に前記ディスクを置く際、前記第１の突出領域と前記ディスクとが重なる距離は０．１ｍｍ〜２ｍｍであり、
植物繊維を含む材料からなること、
を特徴とする請求項１９に記載のディスク用トレイ。
【考案の詳細な説明】
【技術分野】
【０００１】
本考案はディスク用トレイに関し、特に、環境を汚染させず、再利用可能な材料により製造するとともに、光ディスクの固定や出し入れが容易に行え、ディスクが引っかかってディスク用トレイが損壊することを防ぐディスク用トレイに関する。
【背景技術】
【０００２】
現在市販されている映像や音楽が記録された光ディスクの多くは、収納ケースとともに販売されている。そのため、収納ケースの態様及び展示効果は、光ディスクの売り上げに対して潜在的に影響を与える。
【０００３】
従来の光ディスク収納ケースは、収納空間を設ける必要がある他、光ディスクのデータ読取り領域が光ディスク収納ケースと接触したり、収納ケースを開けたときに光ディスクが不用意に落ちて損壊することをなるべく防ぐために、複数のプラスチック製フィンガーにより、光ディスクの中央部分に設けられた円孔部分又は側部を固定する必要がある（例えば、特許文献１〜３など）。
【０００４】
光ディスクを留める機構は、靭性が高いプラスチック材料からなるものがほとんどである。プラスチックからなる光ディスク収納ケースが毎年大量に製造されるため、環境に与える悪影響は非常に大きかった。そのため、環境を汚染しない紙などの材料により製造した光ディスク収納ケースが次第に増えてきた。
【０００５】
特許文献４〜７では、紙を材料として製造した光ディスク収納ケースが開示されている。しかし、封筒のように薄いため、一般に市販される規格に合致しない虞がある。
【０００６】
以下、一般に市販される規格に合致し、紙を主要な材料とする技術を説明する。
【０００７】
特許文献８及び特許文献９が開示しているように、紙を材料として製造した光ディスク収納ケースは、基本的に光ディスクを収納するための空間が設けられているが、光ディスクを留める機構は備えていない。光ディスクを留める機構を備えていない主な原因は、紙の靭性が低いためである。
【０００８】
特許文献１０が開示している光ディスク収納ケースは、紙を材料として製造し、側部に設けられたベローズ（ｂｅｌｌｏｗｓ）が光ディスクを収納する空間を有し、光ディスクを留める機構を備えていないため不用意に落ちる虞があった。
【０００９】
特許文献１１が開示している光ディスク収納ケースは、紙により製造され、大面積の紙シートを裁断してから折り曲げ、光ディスク収納ケースを形成するが、設計が複雑であり、製造工程が煩雑であるためコストが増加した。この特許文献１１では、光ディスクを固定するために、複数のプラスチック製フィンガーにより光ディスクを固定していた。また、特許文献１２及び特許文献１３も同様の方法により製造されている。光ディスクの収納ボックスの大部分は紙を材料とするが、光ディスクを留める設計が解決されていないため、光ディスクを留める機構にはプラスチックが用いられている。
【００１０】
特許文献１４の板紙の製造方法は、図３〜図８で開示しているように、大面積の紙シートを裁断してから折り曲げて光ディスク収納ケースを形成する。図９〜図１３では、プレス成形されたプラスチック又は紙が用いられている。特許文献１４では、図３〜図１３で開示しているように、光ディスク収納ケースの側部に設けられた２つのスリット（ｕｎｄｅｒｃｕｔ／ｓｌｏｔ）に光ディスクを挿入する点を特徴とするが、２つのスリットに光ディスクを挿入する詳細な説明は開示されていない。ここで、２つのスリットは、側部に設けられた角壁（ａｎｇｕｌａｒ  ｗａｌｌ）に設けられているため（例えば、角壁の中央部分に設けた１つのスリット）、図面に示すように、２つのスリットの中に光ディスクを置く際、置く力を調整する必要がある。また、２つのスリットは、側部に設けられた角壁の中間箇所に設けられているため、材料に紙が用いられている場合、損壊し易かった。特許文献１４で開示しているように、光ディスクを取出したり置いたりする際に、光ディスク収納ケースを外向きに折り曲げなければならないが、この方式は一般消費者の使用習慣に合致しなかった。また、図１４〜図２３に示すように、光ディスクの中央部分に設けられた中央円孔には、中央に設けられた突起部を留めるが、中央に設けられた突起部が紙からなる場合、容易に損壊する虞があった。
【００１１】
特許文献１５で開示しているように、紙からなる光ディスク収納ケースの製造方法は、基本的に一般の紙カートンの製造方法と同じであり、光ディスクを置く空間が設けられ、２枚の板紙（ｐａｎｅｌ）の側部を折ってアーム（ａｒｍ）が設けられている。光ディスクは、アームに設けられた４つの突起物（ｐｒｏｔｒｕｓｉｏｎ）により押える。しかし、この設計では、環境を汚染させる上、光ディスクを取り出したり収納したりする際に、２枚の紙カートンに接触する上、４つの突起物の主な材料として紙が用いられているため、光ディスクを取出したり収納したりするときに、４つの突起物が磨耗され易く、一定期間使用した後に光ディスクが固定し難くなる虞があった。
【００１２】
そのため、主に紙から製造され、光ディスクの出し入れが容易であるとともに、光ディスクを固定し、光ディスクが収納ボックスに引っかかってディスク用トレイが損壊することを防ぐことができる光ディスクの収納ボックスが求められていた。
【先行技術文献】
【特許文献】
【００１３】
【特許文献１】米国特許第５６６２２１６号明細書
【特許文献２】米国特許第５５９３０３１号明細書
【特許文献３】米国特許出願公開第２００８／０２４５６８７号明細書
【特許文献４】米国特許第５０４８６８１号明細書
【特許文献５】米国特許第５１５４２８４号明細書
【特許文献６】米国特許第４８５０７３１号明細書
【特許文献７】米国特許第４６２０６３０号明細書
【特許文献８】米国特許第６０７３７６３号明細書
【特許文献９】米国特許第６４９４３１９号明細書
【特許文献１０】米国特許第５５２２５００号明細書
【特許文献１１】米国特許第５０８８５９９号明細書
【特許文献１２】米国特許第５１８８２２９号明細書
【特許文献１３】米国特許第５１８８２３０号明細書
【特許文献１４】米国特許出願公開第２００８／０２４５６８７号明細書
【特許文献１５】米国特許第５４２２８７５号明細書
【考案の概要】
【考案が解決しようとする課題】
【００１４】
本考案は、上記に鑑みてなされたものであって、紙類又は他の材料からなるディスク用トレイを提供することを目的とする。
本考案は、光ディスクを固定することができる上、容易に置いたり取出したりすることができるため、ディスクがディスク用トレイに引っかかってディスク用トレイが損壊することを防ぐディスク用トレイを提供することをもう一つの目的とする。
【課題を解決するための手段】
【００１５】
上述した課題を解決し、目的を達成するために、請求項１に記載のディスク用トレイは、低平面部、第１の突起部、第２の突起部、第１の切欠き部及び第２の切欠き部を備え、ディスクを収納するディスク用トレイであって、前記低平面部は、前記ディスクを置くために用い、第１の側部及び第２の側部を有し、前記第１の突起部は、前記低平面部から上方へ延設され、第１の上面領域と、前記低平面部と前記第１の上面領域との間に設けられた第１の壁部とを有し、前記第２の突起部は、前記低平面部から上方へ延設され、第２の上面領域と、前記低平面部と前記第２の上面領域との間に設けられた第２の壁部とを有し、前記第１の切欠き部は、前記第１の側部に設けられた第１の平面切欠き部と、前記第１の壁部に設けられた２つの第１の上方切欠き部とを有し、前記２つの第１の上方切欠き部は、前記第１の平面切欠き部の両側に設けられ、前記第１の上面領域に第１の突出領域が形成され、前記第２の切欠き部は、前記第２の側部に設けられた第２の平面切欠き部と、前記第２の壁部に設けられた２つの第２の上方切欠き部とを有し、前記２つの第２の上方切欠き部は、前記第２の平面切欠き部の両側に設けられ、前記第２の上面領域に第２の突出領域が形成されていること、を特徴とする。
【００１６】
また、請求項２に記載のディスク用トレイは、請求項１に記載のディスク用トレイにおいて、前記第１の側部と前記第２の側部とは、対向するように設けられていること、を特徴とする。
【００１７】
また、請求項３に記載のディスク用トレイは、請求項２に記載のディスク用トレイにおいて、前記低平面部に前記ディスクを置いたときの前記第１の突出領域と前記ディスクとが重なる距離は０．１ｍｍ〜２ｍｍであること、を特徴とする。
【００１８】
また、請求項４に記載のディスク用トレイは、請求項３に記載のディスク用トレイにおいて、前記第１の突出領域と前記ディスクとが重なる距離は０．２ｍｍ〜１．５ｍｍであること、を特徴とする。
【００１９】
また、請求項５に記載のディスク用トレイは、請求項４に記載のディスク用トレイにおいて、植物繊維を含む材料からなり、前記第１の壁部の高さ及び前記第２の壁部の高さは０．８ｍｍ〜４ｍｍであること、を特徴とする。
【００２０】
また、請求項６に記載のディスク用トレイは、請求項５に記載のディスク用トレイにおいて、前記第２の切欠き部は、前記第１の切欠き部より大きいこと、を特徴とする。
【００２１】
また、請求項７に記載のディスク用トレイは、請求項６に記載のディスク用トレイにおいて、前記第２の突出領域は、前記第１の突出領域より大きいこと、を特徴とする。
【００２２】
また、請求項８に記載のディスク用トレイは、請求項７に記載のディスク用トレイにおいて、カバー部、接続部及び搭載部を有するカバーをさらに備え、前記低平面部は、前記搭載部と接続されていること、を特徴とする。
【００２３】
また、請求項９に記載のディスク用トレイは、請求項８に記載のディスク用トレイにおいて、前記低平面部は、前記ディスクが収納されたときに、前記ディスクに接触する中央支持部を有すること、を特徴とする。
【００２４】
また、請求項１０に記載のディスク用トレイは、請求項９に記載のディスク用トレイにおいて、前記第１の突出領域及び前記第２の突出領域は、それぞれ少なくとも１つのリブを有すること、を特徴とする。
【００２５】
また、請求項１１に記載のディスク用トレイは、請求項１０に記載のディスク用トレイにおいて、前記第１の側部及び前記第２の側部は、前記低平面部の左右両側部にそれぞれ設けられていること、を特徴とする。
【００２６】
また、請求項１２に記載のディスク用トレイは、請求項１に記載のディスク用トレイにおいて、前記低平面部に前記ディスクを置いたときの前記第１の突出領域と前記ディスクとが重なる距離は０．１ｍｍ〜２ｍｍであること、を特徴とする。
【００２７】
また、請求項１３に記載のディスク用トレイは、請求項１２に記載のディスク用トレイにおいて、前記第１の側部と前記第２の側部とは、対向するように設けられていること、を特徴とする。
【００２８】
また、請求項１４に記載のディスク用トレイは、請求項１３に記載のディスク用トレイにおいて、植物繊維を含む材料からなること、を特徴とする。
【００２９】
また、請求項１５に記載のディスク用トレイは、請求項１４に記載のディスク用トレイにおいて、前記第１の側部及び前記第２の側部は、前記低平面部の左右両側部にそれぞれ設けること、を特徴とする。
【００３０】
また、請求項１６に記載のディスク用トレイは、請求項１５に記載のディスク用トレイにおいて、前記第１の壁部の高さ及び前記第２の壁部の高さは０．８ｍｍ〜４ｍｍであること、を特徴とする。
【００３１】
また、請求項１７に記載のディスク用トレイは、請求項１６に記載のディスク用トレイにおいて、前記第２の切欠き部は、前記第１の切欠き部より大きく、前記第２の突出領域は、前記第１の突出領域より大きいこと、を特徴とする。
【００３２】
また、請求項１８に記載のディスク用トレイは、請求項１に記載のディスク用トレイにおいて、カバー部、接続部及び搭載部を含むカバーをさらに備え、前記低平面部は、前記搭載部と接続されていること、を特徴とする。
【００３３】
また、請求項１９に記載のディスク用トレイは、請求項１８に記載のディスク用トレイにおいて、前記第１の側部と前記第２の側部とは、対向するように設けられていること、を特徴とする。
【００３４】
また、請求項２０に記載のディスク用トレイは、請求項１９に記載のディスク用トレイにおいて、前記低平面部に前記ディスクを置く際、前記第１の突出領域と前記ディスクとが重なる距離は０．１ｍｍ〜２ｍｍであり、植物繊維を含む材料からなること、を特徴とする。
【考案の効果】
【００３５】
本考案のディスク用トレイは、光ディスクを固定することができる上、容易に置いたり取出したりすることができるため、ディスクがディスク用トレイに引っかかって損壊することを防ぐことができる。
【図面の簡単な説明】
【００３６】
【図１】本考案の第１実施形態によるディスク用トレイを示す斜視図である。
【図２】本考案の第１実施形態によるディスク用トレイの製造工程を示す平面図である。
【図３】本考案の第１実施形態によるディスク用トレイの製造工程を示す平面図である。
【図４】本考案の第１実施形態によるディスク用トレイの製造工程を示す平面図である。
【図５】本考案の第１実施形態によるディスク用トレイを置くときの第１のステップを示す側面図である。
【図６】本考案の第１実施形態によるディスク用トレイを置くときの第２のステップを示す側面図である。
【図７】本考案の第１実施形態によるディスク用トレイを置くときの第３のステップを示す側面図である。
【図８】本考案の第２実施形態によるディスク用トレイを示す斜視図である。
【図９】図８の部分拡大図である。
【図１０】本考案の第３実施形態によるディスク用トレイを示す斜視図である。
【考案を実施するための形態】
【００３７】
以下に添付図面を参照して、この考案に係るディスク用トレイの各実施の形態を詳細に説明する。
【００３８】
（第１実施形態）
図１を参照する。図１に示すように、本考案の第１実施形態によるディスク用トレイ１は、ディスク９０を収納するために用いる。ディスク用トレイ１は、低平面部２０、第１の突起部３０、第１の切欠き部５０、第２の突起部４０及び第２の切欠き部６０を含む。
【００３９】
低平面部２０は、ディスク９０を置くために用い、第１の側部２１（右側部）及び第２の側部２２（左側部）を含む。第１の側部２１と第２の側部２２とは、対向するように設けられている。また、低平面部２０の中央箇所には、ユーザがディスク９０を置いたときに、低平面部２０と接触して損壊することを防ぐために、ディスク９０を支持するために用いる中央支持部２３を含む（図７に示す）。
【００４０】
図１に示すように、第１の突起部３０は、低平面部２０の第１の側部２１に設けられている。即ち、第１の突起部３０は、低平面部２０の左側部に設けられ、低平面部２０から上方へ延設されている。第１の突起部３０は、第１の上面領域３１と、低平面部２０と第１の上面領域３１との間に設けられた第１の壁部３２と、を含む。
【００４１】
また、第２の突起部４０は、低平面部２０の第２の側部２２に設けられている。即ち、第２の突起部４０は、低平面部２０の右側部に設けられている。第２の突起部４０は、低平面部２０から上方へ延設されている。第２の突起部４０は、第２の上面領域４１と、低平面部２０と第２の上面領域４１との間に設けられた第２の壁部４２と、を含む。
【００４２】
第１実施形態では、第１の壁部３２の高さｈ及び第２の壁部４２の高さｈは、２枚又は３枚のディスクを置くことができるように、ディスク９０の厚さより略大きいことが好ましい（例えば、０．８ｍｍ〜４ｍｍ）。
【００４３】
図２を参照する。図２に示すように、本考案の第１実施形態によるディスク用トレイは、成形前の状態が１枚の環境を汚染しないシート材１ａ（ｓｈｅｅｔ）である。このシート材１ａは、主に植物繊維（例えば、紙繊維、草繊維などに石膏などの急結材が添加されたもの）からなる。図３に示すように、低平面部２０を切断し、第１の切欠き部５０、第２の切欠き部６０及び第３の切欠き部９３を形成した後、図４に示すように、第１の突起部３０、第２の突起部４０及び中央支持部２３をプレス成形する。
【００４４】
第１の切欠き部５０は、第１の側部２１に設けられた第１の平面切欠き部５１と、第１の壁部３２に設けられた２つの第１の上方切欠き部５２と、を含む。２つの第１の上方切欠き部５２は、第１の平面切欠き部５１の両側に設けられ、第１の平面切欠き部５１と２つの第１の上方切欠き部５２とを接続して第１の切欠き部５０が形成される。第１の切欠き部５０が第１の側部２１及び第１の壁部３２に設けられている。第１の上面領域３１は、第１の突出領域３１ａに形成されている。
【００４５】
第２の切欠き部６０は、第２の側部２２に設けられた第２の平面切欠き部６１と、第２の壁部４２に設けられた２つの第２の上方切欠き部６２と、を含む。２つの第２の上方切欠き部６２は、第２の平面切欠き部６１の両側に設けられ、第２の平面切欠き部６１と２つの第２の上方切欠き部６２とを接続して第２の切欠き部６０が形成される。第２の切欠き部６０が第２の側部２２及び第２の壁部４２に設けられ、第２の上面領域４１が第２の突出領域４１ａに形成される。
【００４６】
ここで、第１の突起部３０、第１の切欠き部５０、第２の突起部４０及び第２の切欠き部６０は、第１実施形態では左右両側へ対称に設けられているが、他の態様で設けてもよい。
【００４７】
以下、図５〜図７により、本考案の第１実施形態によるディスク用トレイにディスク９０を置くときのステップを説明する。
【００４８】
図５に示すように、ディスク用トレイ１にディスク９０を置く際、ディスク９０を一方の側（例えば、右側）へ傾けながら第２の切欠き部６０へ入れ、第２の壁部４２（図示せず）に当ててから、図６に示すように、ディスク９０を他方の側（例えば、左側）へ軽く押すと、ディスク９０が第１の突出領域３１ａに入る。ディスク９０の他方の側（即ち、左側）を第１の切欠き部５０へ入れると、ディスク用トレイ１に設けられた中央支持部２３により、ディスク９０の中央箇所が支持されて平らに置かれ、図７に示すように、第１の突出領域３１ａ及び第２の突出領域４１ａにより位置が拘束されるため、ディスク９０が不用意に外れることを防ぐことができる。ここで、ディスク用トレイ１が耐磨耗性が低い紙などの材料からなるため、図７に示すように、第１の突出領域３１ａとディスク９０とが重なる距離Ｗを、好ましくは０．１ｍｍ〜２ｍｍにし、さらに好ましくは０．２ｍｍ〜１．５ｍｍにする。
【００４９】
ユーザがディスク用トレイ１からディスク９０を取出す際、上述した手順を反対に行う。即ち、まず、ディスク９０の左側を第１の突出領域３１ａから外して持ち上げ、第１の切欠き部５０からディスク９０の左側を外す（図６に示す）。続いて、ディスク９０を左側へ移動させながら持ち上げると、ディスク９０の右側が第２の切欠き部６０から外れる（図５に示す）。
【００５０】
第２の突出領域４１ａは、第１の突出領域３１ａより大きく、第２の切欠き部６０は、第１の切欠き部５０より大きい。即ち、ディスク９０は、第２の突出領域４１ａにより位置が拘束され、第２の切欠き部６０から外れることを防ぐことができる。しかし、第１の突出領域３１ａは、第１の切欠き部５０から外れないようにディスク９０の位置を拘束する機能を有する以外に、ディスク９０を置いたり取出したりする際、ゲートとして用いる機能も有する。つまり、第１の突出領域３１ａは、ディスク９０が通り易いように、第２の突出領域４１ａより小さくなっている。上述したように、第１の突出領域３１ａとディスク９０とが重なる距離は０．１ｍｍ〜０．２ｍｍであることが好ましい。ここで、第２の突出領域４１ａ及び第２の切欠き部６０は、第１の突出領域３１ａ及び第１の切欠き部５０と同じ大きさに形成してもよく、その場合、ディスク９０は落ち易くなってしまうことが実験から分かっている。
【００５１】
（第２実施形態）
図８及び図９を参照する。図８及び図９に示すように、本考案の第２実施形態によるディスク用トレイは、第１の突出領域３１ａがゲートとして用いられるため、第１の突出領域３１ａに集中的に接触される。そのため、第１の突出領域３１ａの強度を高めることが必要である。第２実施形態では、突出領域３１ａ，４１ａの両側部へそれぞれ２つのリブ８０を設けてもよい。図９に示すように、リブ８０は、直接プレス形成されている（図４の説明を参照する）。また、第１の突起部３０及び第２の突起部４０には、強度を増やすために、多数のリブ８１を設けてもよい。
【００５２】
（第３実施形態）
図１０を参照する。図１０に示すように、本考案の第３実施形態によるディスク用トレイ１ｃはカバー７０をさらに含む。カバー７０は、カバー部７１、接続部７２及び搭載部７３を含む。搭載部７３は、低平面部２０と接続されている。接続部７２の幅が、ディスク用トレイ１ｃの厚さに略等しいため、接続部７２によりカバー部７１を開閉すると、ディスク用トレイ１ｃからディスク９０を取出したり、ディスク用トレイ１ｃにディスク９０を収納したりすることができる。第３実施形態による、カバー７０を有するディスク用トレイ１ｃは、現在市販されている規格に合致する。
【００５３】
当該技術分野の当業者が実施できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００５４】
１、１ｂ、１ｃ  ディスク用トレイ
１ａ  シート材
２０  低平面部
２１  第１の側部
２２  第２の側部
２３  中央支持部
３０  第１の突起部
３１  第１の上面領域
３１ａ  第１の突出領域
３２  第１の壁部
４０  第２の突起部
４１  第２の上面領域
４１ａ  第２の突出領域
４２  第２の壁部
５０  第１の切欠き部
５１  第１の平面切欠き部
５２  第１の上方切欠き部
６０  第２の切欠き部
６１  第２の平面切欠き部
６２  第２の上方切欠き部
７０  カバー
７１  カバー部
７２  接続部
７３  搭載部
８０、８１  リブ
９０  ディスク
９３  第３の切欠き部
【図１】
0003159767.tif 000003
【図２】
0003159767.tif 000004
【図３】
0003159767.tif 000005
【図４】
0003159767.tif 000006
【図５】
0003159767.tif 000007
【図６】
0003159767.tif 000008
【図７】
0003159767.tif 000009
【図８】
0003159767.tif 000010
【図９】
0003159767.tif 000011
【図１０】
0003159767.tif 000012